(57)【要約】【課題】本発明は、棚下部あるいは棚先端の表示部のメンテナンスを容易にすることのできる冷凍冷蔵倉庫を提供することにある。【解決手段】前面に開口が形成された断熱筐体であるケース本体と、前記ケース本体の内部における収納域において上下方向に沿って複数段設けられ、収納対象となる商品を載置する複数の傾斜式流動棚と、前記収納域における前記開口近傍の上部に配設した吹出口から下方に向けて空気を吹き出し、該開口近傍の下部に配設した吸込口を通じて前記吹出口から吹き出された空気をファンにて吸い込み、かつ該吸込口から吸い込んだ空気を前記収納域の下方域、後方域及び上方域を順次通過させて前記吹出口に送出することによって空気を循環させる空気循環ユニットとを備えた冷凍冷蔵倉庫において、前記傾斜式流動棚を奥行き方向で前後に分割し、分割した前方の棚板を上方へ回動かつ着脱可能に支持する支持部を設ける。【選択図】図３
2010139076.tif 000002
【特許請求の範囲】
【請求項１】
前面に開口が形成された断熱筐体であるケース本体と、前記ケース本体の内部における収納域において上下方向に沿って複数段設けられ、収納対象となる商品を載置する複数の傾斜式流動棚と、前記収納域における前記開口近傍の上部に配設した吹出口から下方に向けて空気を吹き出し、該開口近傍の下部に配設した吸込口を通じて前記吹出口から吹き出された空気をファンにて吸い込み、かつ該吸込口から吸い込んだ空気を前記収納域の下方域、後方域及び上方域を順次通過させて前記吹出口に送出することによって空気を循環させる空気循環ユニットとを備えた冷凍冷蔵倉庫において、前記傾斜式流動棚を奥行き方向で前後に分割し、分割した前方の棚板を上方へ回動かつ着脱可能に支持する支持部を設けたことを特徴とする冷凍冷蔵倉庫。
【請求項２】
請求項１記載の冷凍冷蔵倉庫において、前記前方の棚板前縁に立設する態様で配設し、配送対象となる商品が保管されている保管位置を表示する表示装置を備えたことを特徴とする冷凍冷蔵倉庫。
【請求項３】
請求項１または２に記載の冷凍冷蔵倉庫において、支持部は、前記傾斜式流動棚の枠体側面に軸を設け、前記前方の棚板に下面開放の溝を設けて、該溝を前記軸に嵌合してなることを特徴とする冷凍冷蔵倉庫。
【発明の詳細な説明】
【技術分野】
【０００１】
本発明は、物流センタや配送センタに構築される冷凍冷蔵ピッキングシステムを構成する冷凍冷蔵倉庫に関するものである。
【背景技術】
【０００２】
物流センタや配送センタに構築されるピッキングシステムは、冷凍冷蔵倉庫と、冷凍冷蔵倉庫から取り出された商品を搬送する搬送装置とを備えている。冷凍冷蔵倉庫の庫内には、冷凍冷蔵倉庫の前面開口に臨むように複数の棚装置が配置されるとともに、庫内を保冷するための冷却装置が備えられている。棚装置は、複数段の傾斜棚で構成され、棚装置の作業スペース側先端部には、配送対象となる商品の保管位置を示す表示器が備えられている（特許文献１参照）。
【特許文献１】特開２００６−９０６１９号公報
【発明の開示】
【発明が解決しようとする課題】
【０００３】
上記棚装置では、最下段の棚下部に設けられているファンなどの点検あるいは清掃を行う場合、棚を取り外さなければならず、ピッキングシステムの棚自体は相当な重量物であるため、作業が面倒あった。
【０００４】
また、棚先端の表示部についても、裏面側からの作業は、棚を取り外さなければならず、ピッキングシステムの棚自体は相当な重量物であるため、作業が面倒あった。
本発明は、上記実情に鑑みて、棚下部あるいは棚先端の表示部のメンテナンスを容易にすることのできる冷凍冷蔵倉庫を提供することを目的とする。
【課題を解決するための手段】
【０００５】
上記の目的を達成するために、本発明の冷凍冷蔵倉庫は、傾斜式流動棚を奥行き方向で前後に分割し、分割した前方の棚板を上方へ回動かつ着脱可能に支持する支持部を設けたことを特徴とする。
【０００６】
また、前記前方の棚板前縁に立設する態様で配設し、配送対象となる商品が保管されている保管位置を表示する表示装置を備えたことを特徴とする。
さらに、支持部は、前記傾斜式流動棚の枠体側面に軸を設け、前記前方の棚板に下面開放の溝を設けて、該溝を前記軸に嵌合してなることを特徴とする。
【発明の効果】
【０００７】
本発明にかかる冷凍冷蔵倉庫は、分割した前方の棚板を上方へ回動かつ着脱可能にしたことで、ファン並びに表示装置の点検が容易となる。
しかも前記前方の棚板に下面開放の溝を設け、該溝を前記傾斜式流動棚の枠体側面の軸に嵌合するという簡単な構造で、棚の回動並びに着脱を実現できるという効果が得られる。
【発明を実施するための最良の形態】
【０００８】
以下に添付図面を参照して、本発明にかかる冷凍冷蔵倉庫の好適な実施の形態を詳細に説明する。
図１に示すように、配送センタの建屋１の内部には、冷凍冷蔵ピッキングシステムが構築されている。冷凍冷蔵ピッキングシステムは、商品が陳列されたピッキング用冷凍冷蔵倉庫２と、積載された商品を搬送するセンタコンベア３とにより構成され、ピッキング用冷凍冷蔵倉庫２に陳列された商品Ｘは、オペレータによって取り出され、センタコンベア３に積載されるようになっている。
【０００９】
図１に示した本実施の形態である冷凍冷蔵ピッキングシステムは、センタコンベア３を中央に配置し、その両側にピッキング用冷凍冷蔵倉庫２を配置することにより、一のセンタコンベア３を効率的に運用できるようになっている。
【００１０】
次に、図２は、ピッキング用冷凍冷蔵倉庫を示す側断面図であり、ピッキング用冷凍冷蔵倉庫２は、配送センタの建屋１の内部に構築されたプレハブ倉庫であり、このピッキング用冷凍冷蔵倉庫２は、前方領域を収納陳列領域４とし、後方領域を収容保管領域６としている。収納陳列領域４は、前面が開口し、商品Ｘを陳列する傾斜式流動棚４１が配設している。収容保管領域６は、後述する商品投入搬送装置６６が配設してある。そして、収納陳列領域４の天井と収容保管領域６の天井との間に生じる隙間は、垂直な壁体２１で塞がれている。
【００１１】
収納陳列領域４には、複数台の傾斜式流動棚４１が横並びとなるように設置してある。傾斜式流動棚４１は、商品を保管するピッキング用棚装置であって、前面及び後面が開口し、陳列棚４２と商品搬出台４３とにより構成され、その前縁には、商品種類に対応するように、ＬＥＤ表示パネル４４が配設してある。
【００１２】
収容保管領域６には、ピッキング用冷凍冷蔵倉庫２に商品を搬入するための商品搬入コンベア６４、搬入した商品を一時保管する商品一時保管棚、商品一時保管棚から上述した傾斜式流動棚に商品を投入する商品投入搬送装置６６が設置してある。
【００１３】
収容保管領域６の床には、前方から後方に延在するダクト６１が配設してある。ダクト６１は、リターングリル５０から回収された空気を収容保管領域６に循環させるためのものである
このダクト６１は、前端が最下段となる傾斜式流動棚４１と収納陳列領域４の床との間に形成された開口に対向して開口し、また、後端は、ピッキング用冷凍冷蔵庫の奥壁近傍まで延在して開口している。また、ダクト６１の出口近傍となる内部には、循環ファン６２が配設してある。
【００１４】
この循環ファン６２は、最下段となる陳列棚４２と収納陳列領域４との間から送出された空気を吸い込み、奥壁に沿って循環させるようになっている。
収容保管領域６の天井には、複数台の冷却装置６３が据え付けてある。冷却装置６３は、供給された空気を冷却して送出するものであり、傾斜式流動棚４１に均等に冷却した空気を送出するように、均等に配設してある。
【００１５】
また、最上段となる傾斜式流動棚４１の上方となる収納陳列領域４の天井には、後方から前方に延在するダクト４５が配設してある。ダクト４５は、ピッキング用冷凍冷蔵倉庫２の前面開口に低温のエアカーテンを生成するためのものであり、後端が開口している。この後端開口には、吸気ファン４６が配設してある。吸気ファン４６は、傾斜式流動棚４１の奥方、すなわち、ピッキング用冷凍冷蔵倉庫２の収容保管領域６から空気を導入するものである。
【００１６】
ダクト４５の内部は、上下に仕切られ、下側がインナダクト４７を構成し、上側がミドルダクト４８を構成するようになっている。そして、ダクト４５に導入された空気は、インナダクト４７とミドルダクト４８とに分配されるようになっている。
【００１７】
インナダクト４７は、分配された空気を冷却し、ピッキング用冷凍冷蔵倉庫２の前面開口内側に低温のエアカーテンを生成するためのもので、インナダクト４７の内部には、蒸発器４７１が設置してあり、ダクト４５の後端開口から導入される。
【００１８】
インナダクト４７は、ピッキング用冷凍冷蔵倉庫２の前面開口内側において前端が下方に向かって開口している。この前端開口には、冷気吐出口を構成するハニカム４７２が取り付けてあり、ハニカム４７２を通過した空気は整流され、下方に向かって流れるようになっている。
【００１９】
ミドルダクト４８は、分配された空気をピッキング用冷凍冷蔵倉庫２の前面開口内側であって、インナダクト４７が生成するエアカーテンよりも外側に低温のエアカーテンを生成するためのもので、インナダクト４７の外側であって、ピッキング用冷凍冷蔵倉庫２の前面開口内側において前端が下方に向かって開口している。この前端開口には、冷気吐出口を構成するハニカム４８１が取り付けてあり、ハニカム４８１を通過した空気は整流され、下方に向かって流れるようになっている。
【００２０】
また、収納陳列領域４の天井前縁には、奥方から前方に延在した後に下方に延在するアウタダクト４９が配設してある。アウタダクト４９は、ピッキング用冷凍冷蔵倉庫２の前面開口外側に室温のエアカーテンを生成するものであり、奥方端と下方端とが開口している。この奥方端開口には、アウタファン４９１が配設してある。このアウタファン４９１は、稼働させると配送センタの建屋から空気を導入するようになっている。また、下方端開口には、空気吐出口を構成するハニカム４９２が取り付けてあり、ハニカム４９２を通過した空気は整流され、下方に向かって流れるようになっている。
【００２１】
最下段となる傾斜式流動棚４１の前方にリターングリル５０が形成されるように、フロントパネル５１が床に立設してある。リターングリル５０は、インナダクト４７の前端開口及びミドルダクト４８の前端開口と対向するように形成され、インナダクト４７の前端開口及びミドルダクト４８の前端開口から供給され、ピッキング用冷凍冷蔵倉庫２の前面開口にエアカーテンを生成した空気を回収するようになっている。
【００２２】
また、最下段となる傾斜式流動棚４１の下方には、送気ファン５２が傾斜する態様で取り付けてあり、リターングリル５０から回収された空気を収納陳列領域４から収容保管領域６に送出するようになっている。
【００２３】
アウタダクト４９の下方端外側には、キャノピ７３によって覆われたナイトカバー７１と照明装置７２とが並設してある。ナイトカバー７１は、巻き上げることにより収納可能なカバーであって、冷凍冷蔵ピッキングシステム稼働中に収納し、稼働を停止した場合に降ろすことにより、ピッキング用冷凍冷蔵倉庫２の前面開口を塞ぐことができるようになっている。照明装置７２は、たとえば、蛍光灯であって、冷凍冷蔵ピッキングシステム稼働中は点灯し、稼働を停止した場合に消灯することができるようになっている。
【００２４】
次に、図３は、傾斜式流動棚４１の斜視図、図４は、傾斜式流動棚の拡大側面図、図５は傾斜式流動棚４１の拡大斜視図である。
傾斜式流動棚４１の商品搬出台４３の前縁にＬＥＤ表示パネル４４が裏面側からねじ４４１にて固定され配設してある。このＬＥＤ表示パネル４４は、取り出す商品が保管されている保管位置を明示するものである。
【００２５】
傾斜式流動棚４１の商品搬出台４３は、前端にフェンスとして機能する起立片４３１を構成してなり、また、その側面は下方に折り曲げた折曲片４３２を構成してなり、この折曲片４３２の後端部近傍には、下面開放の溝として略逆Ｕ字状溝４３３を構成してある。
【００２６】
また、この商品搬出台４３の起立片４３１は、ＬＥＤ表示パネル４４の裏面側に位置するようになる。
さらに、傾斜式流動棚４１の両側壁４１１に孔４１２を設け、この孔４１２にねじ４１３を外側から差込むようになっており、このねじ４１３が商品搬出台４３の略逆Ｕ字状溝４３３に対向する位置に配設してある。
【００２７】
このねじ４１３に、商品搬出台４３の略逆Ｕ字状溝４３３をはめ込むように配設して、支持部が形成される。
この構成において、商品搬出台４３は、ねじ４１３が商品搬出台４３の略逆Ｕ字状溝４３３が嵌まり込むことにより、このねじを支点として、商品搬出台４３が上方へ回動するようになっており、また、商品搬出台４３をそのまま上方に持ち上げることで、簡単に取り外しできるようになっている。
【００２８】
また、商品搬出台４３の裏面側には、商品搬出台４３の支えとして補強金４１４が前後方向に複数配設してあり、この補強金４１４にて商品搬出台４３は定位置に支えられるようになっている。
【００２９】
なお、補強金４１４の間は空洞となっており、例えば、最下段の商品搬出台４３を取り外すと、送気ファン５２を臨むようになっている。
本発明の実施の形態にかかるピッキング用冷凍冷蔵倉庫２において、空気循環ユニットを構成する冷却装置６３、吸気ファン４６、送気ファン５２、循環ファン６２、アウターファン４９１を稼働すると、冷却装置６３の周囲を通過した空気は、例えば摂氏−２５度程度まで冷却され、収納陳列領域４と収容保管領域６との間に設けられた垂直な壁体２１に向けて送出される。送出された空気は、収納陳列領域４と収容保管領域６との間に設けられた垂直な壁体２１に衝突することにより拡散され、冷却装置６３から吸気ファン４６に直接空気を送出する場合よりも、空気の流速が遅くなり、吸気ファン４６に空気が均等に供給される。
【００３０】
そして、吸気ファン４６に供給された空気は、インナダクト４７とミドルダクト４８とに分配される。インナダクト４７に分配された空気は、蒸発器４７１の周囲を通過する際に摂氏−３０度程度まで冷却され、前端開口からリターングリルに向けて流れることにより、ピッキング用冷凍冷蔵倉庫２の前面開口内側にエアカーテンを生成する。一方、ミドルダクト４８に分配された空気は、前端開口からリターングリル５０に向けて流れることにより、インナダクト４７が生成するエアカーテンよりも外側にエアカーテンを生成する。
【００３１】
一方、アウタファン４９１を稼働することにより、配送センタの建屋から導入された空気は、上述したエアカーテンに沿って流れ、エアカーテンを生成する空気の乱れを抑制する。
【００３２】
他方、リターングリル５０から回収された空気は、送気ファン５２及び循環ファン６２によって、奥方に送出され、奥壁に沿って循環する。そして、奥壁に沿って循環した空気は、再び、冷却装置６３に供給される。
【００３３】
このように循環され、冷却装置６３、蒸発器４７１によって冷却された空気は、ピッキング用冷凍冷蔵倉庫２の内部を冷却する。
また、本発明の実施の形態にかかる冷凍冷蔵ピッキングシステムは、商品搬入コンベア６４によって、ピッキング用冷凍冷蔵倉庫２の外部から商品が搬入される。ピッキング用冷凍冷蔵倉庫２に搬入された商品は、商品一時保管棚に一時保管され、あるいは、商品投入搬送装置６６によって、傾斜式流動棚４１の陳列棚４２に投入される。なお、商品一時保管棚に一時保管された商品も順番がきたら商品投入搬送装置６６によって、傾斜式流動棚４１の陳列棚４２に順次投入される。
【００３４】
また、本発明の実施の形態にかかる冷凍冷蔵ピッキングシステムは、管理装置によって制御され、取り出す商品が保管されている保管位置のＬＥＤ表示パネル４４が点灯される。すると、オペレータは、点灯したＬＥＤ表示パネル４４が示す保管位置が受け持つ棚であるか否かを識別し、自らが受け持つ棚であると識別した場合には、点灯したＬＥＤ表示パネル４４が示す保管位置から商品を取り出し、センタコンベア３に積載する。
【００３５】
上述したピッキング用冷凍冷蔵倉庫２では、ＬＥＤ表示パネル４４、送気ファン５２を定期的に保守点検する必要がある。
まず、作業員は、商品搬出台４３の起立片４３１を持ち、商品搬出台４３を上方に上げることで、ねじ４１３を支点として商品搬出台４３の略逆Ｕ字状溝４３３が回動して前方が持ち上がり、図４に示すように、商品搬出台４３が矢印Ａの範囲で回動する。
【００３６】
このとき、最下段の商品搬出台４３であれば、送気ファン５２の周辺が見えるため、この部分のごみは簡単に取り出し除去できる。
また、送気ファン５２の点検などは、商品搬出台４３を上方のそのまま持ち上げると、ねじ４１３と略逆Ｕ字状溝４３３との嵌合が外れ、図５に示すように、商品搬出台４３を取り外すことにより、送気ファン５２の点検作業が可能となるため、傾斜式流動棚４１全体を取り外す必要がなく、点検作業が極めて容易となる。
【００３７】
また、ＬＥＤ表示パネル４４の交換などについても、商品搬出台４３をねじ４１３を支点に回動させることなく、商品搬出台４３を上方のそのまま持ち上げ商品搬出台４３を取り外すことにより、ＬＥＤ表示パネル４４の裏面側が開放状態となり、ねじ４４１を取り外して、ＬＥＤ表示パネル４４を交換でき、交換作業が極めて容易となる。
【００３８】
また、上述した実施の形態の他、商品搬出台４３の側方に突起を設け、該突起がスライドするための長孔を陳列棚４２に対応する箇所の側壁４１１の前後方向に設けることにより、通常時には、前方域に、点検などの作業時には、長孔にそって商品搬出台４３を奥方向に押し込むことも可能であり、さらに、通常位置、スライド位置の位置決め用として、長孔の両端に下方向に延びる長孔を延長することにより、その長孔に商品搬出台４３の突起が落ち込むことになるため、位置決めも容易に可能となる。
【図面の簡単な説明】
【００３９】
【図１】本発明の実施の形態である傾斜式流動棚が配設された配送センタを示す側断面図である。
【図２】図１に示したピッキング用冷凍冷蔵倉庫を示す側断面図である。
【図３】図２に示した傾斜式流動棚の斜視図である。
【図４】図２に示した傾斜式流動棚の拡大側面図である。
【図５】図２に示した傾斜式流動棚の拡大斜視図である。
【符号の説明】
【００４０】
４        収納陳列領域
４１      傾斜式流動棚
４１１    側壁
４１３    ねじ
４２      陳列棚
４３      商品搬出台
４３１    起立片
４３２    折曲片
４３３    略逆U字状溝
４４      ＬＥＤ表示パネル
５２      送気ファン
【図１】
2010139076.tif 000003
【図２】
2010139076.tif 000004
【図３】
2010139076.tif 000005
【図４】
2010139076.tif 000006
【図５】
2010139076.tif 000007